(57)【要約】【課題】燃料電池の運転に伴って発生する排熱の利用を促進しつつユーザの利便性を高める。【解決手段】コージェネレーションシステム（１）は、燃料電池（１１）、貯湯タンク（２０）、給湯経路（３５）、第一温度センサ（２５ａ）、水位センサ（４２）、第二温度センサ（４４）、及び制御装置（７０）を備えている。貯湯タンク（２０）は、燃料電池（１１）の運転に伴って発生する排熱によって生成された第一温水を貯留する。給湯経路（３５）は、貯湯タンク（２０）から浴槽（４０）まで延びている。制御装置（７０）は、所定の条件が満たされているときに、貯湯タンク（２０）に貯留された第一温水を、給湯経路（３５）を通過させて浴槽（４０）に供給する。加えて、制御装置（７０）は、給湯経路（３５）の出口における第二温水の温度を浴槽（４０）の湯張りにおける目標温度よりも高い給湯温度に調節する。【選択図】図１
2019143863.tif 000002
【特許請求の範囲】
【請求項１】
燃料電池と、
前記燃料電池の運転に伴って発生する排熱によって生成された第一温水を貯留する貯湯タンクと、
前記貯湯タンクから浴槽まで延びる給湯経路と、
前記貯湯タンクに貯留された前記第一温水の温度を検出する第一温度センサと、
前記浴槽の水位を検出する水位センサと、
前記浴槽の水温を検出する第二温度センサと、
前記貯湯タンクに貯留された前記第一温水の前記浴槽への供給を制御する制御装置と、を備え、
前記制御装置は、下記の（ｉ）、（ii）、（iii）、及び（iv）の条件が満たされているときに、前記貯湯タンクに貯留された前記第一温水を、前記給湯経路を通過させて前記浴槽に供給するとともに、前記給湯経路の出口における第二温水の温度を前記浴槽の湯張りにおける目標温度よりも高い給湯温度に調節する、
コージェネレーションシステム。
（ｉ）前記浴槽の湯張りを実行すべきである。
（ii）前記水位センサによって検出された前記水位が前記浴槽に残り湯があることを示し、かつ、前記水位が前記浴槽の前記湯張りにおける目標水位未満である。
（iii）前記第一温度センサによって検出された前記第一温水の温度が第一閾値以上である。
（iv）前記第二温度センサによって検出された前記浴槽の前記水温が前記目標温度未満である。
【請求項２】
前記制御装置は、前記（ｉ）、（ii）、（iii）、及び（iv）の条件が満たされ、かつ、前記第一温度センサによって検出された前記第一温水の温度が前記給湯温度よりも高いときに、前記給湯温度より低い温度を有する市水と前記第一温水とを混合して前記第二温水の温度を前記給湯温度に調節する、請求項１に記載のコージェネレーションシステム。
【請求項３】
前記制御装置は、前記（ｉ）、（ii）、（iii）、及び（iv）の条件が満たされ、かつ、前記第一温度センサによって検出された前記第一温水の温度が前記給湯温度よりも低いときに、前記給湯温度より高い温度を有する市水と前記第一温水とを混合して前記第二温水の温度を前記給湯温度に調節する、請求項１に記載のコージェネレーションシステム。
【請求項４】
前記浴槽に供給されるべき水を加熱するバックアップ熱源機をさらに備え、
前記制御装置は、前記（ｉ）、（ii）、（iii）、及び（iv）の条件が満たされ、かつ、前記第一温度センサによって検出された前記第一温水の温度が前記給湯温度よりも低いときに、前記バックアップ熱源機によって前記第一温水を加熱して前記第二温水の温度を前記給湯温度に調節する、請求項１に記載のコージェネレーションシステム。
【請求項５】
前記浴槽に供給されるべき水を加熱するバックアップ熱源機と、
前記貯湯タンクに貯留された前記第一温水と暖房装置の熱媒体との間で熱交換を生じさせる熱交換器と、
前記貯湯タンクと前記熱交換器とを接続している往路部分と前記熱交換器と前記貯湯タンクとを接続している復路部分とを有する循環経路と、をさらに備え、
前記制御装置は、前記（ｉ）の条件並びに下記の（ｖ）、（vi）、及び（vii）の条件が満たされているときに、前記バックアップ熱源機を停止させた状態で、前記貯湯タンクに貯留された前記第一温水を、前記給湯経路を通過させて前記浴槽に供給する、
請求項１〜４に記載のコージェネレーションシステム。
（ｖ）前記水位センサによって検出された前記水位が前記浴槽に残り湯がないことを示す。
（vi）前記第一温度センサによって検出された前記第一温水の温度が第二閾値以上である。
（vii）前記第一温度センサによって検出された前記第一温水の温度が前記目標温度に基づいて定められた第三閾値未満である。
【請求項６】
前記制御装置は、前記（ｉ）、（ｖ）、（vi）、及び（vii）の条件が満たされた後、前記水位センサによって検出された前記水位が前記目標水位以上になったときに、前記浴槽への給湯を停止し、かつ、前記浴槽に貯められた第三温水を前記バックアップ熱源機によって加熱して前記目標温度に到達させる、
請求項５に記載のコージェネレーションシステム。
【請求項７】
前記制御装置は、前記（ｉ）、（ｖ）、（vi）、及び（vii）の条件が満たされているときに、前記熱交換器への前記第一温水の供給を停止する、請求項５又は６に記載のコージェネレーションシステム。
【請求項８】
燃料電池の運転に伴って発生する排熱を用いて第一温水を生成することと、
前記第一温水を貯湯タンクに貯めることと、
前記貯湯タンクに貯留された前記第一温水の温度を検出することと、
前記浴槽の水位を検出することと、
前記浴槽の水温を検出することと、
下記の（ｉ）、（ii）、（iii）、及び（iv）の条件が満たされているときに、前記貯湯タンクに貯留された前記第一温水を前記浴槽に供給するとともに、前記貯湯タンクから前記浴槽まで延びる給湯経路の出口における第二温水の温度を前記浴槽の湯張りにおける目標温度よりも高い給湯温度に調節することと、を含む、
コージェネレーションシステムの運転方法。
（ｉ）前記浴槽の湯張りを実行すべきである。
（ii）前記浴槽の前記水位が前記浴槽に残り湯があることを示し、かつ、前記水位が前記浴槽の前記湯張りにおける目標水位未満である。
（iii）前記貯湯タンクに貯留された前記第一温水の温度が第一閾値以上である。
（iv）前記浴槽の前記水温が前記浴槽の前記目標温度未満である。
【発明の詳細な説明】
【技術分野】
【０００１】
本開示は、コージェネレーションシステム及びその運転方法に関する。
【背景技術】
【０００２】
燃料電池を備えたコージェネレーションシステムはよく知られている。燃料電池の運転に伴って排熱が発生する。排熱は、温水の生成に使用される。温水は、貯湯タンクに貯められ、必要に応じて浴槽又は蛇口に供給される。
【０００３】
例えば、特許文献１に記載の技術において、燃料電池で発生した熱を回収する熱交換器によって生成され貯湯タンクに貯められた温水は、入浴等で温水が使用される場合に供給される。
【先行技術文献】
【特許文献】
【０００４】
【特許文献１】特開２０１７−１８０９８６号公報
【発明の概要】
【発明が解決しようとする課題】
【０００５】
特許文献１には、燃料電池の運転に伴って発生する排熱の利用を促進しつつユーザの利便性を高める観点から改良の余地を有する。そこで、本開示は、燃料電池の運転に伴って発生する排熱の利用を促進しつつユーザの利便性を高める観点から有利なコージェネレーションシステムを提供する。
【課題を解決するための手段】
【０００６】
本開示は、
燃料電池と、
前記燃料電池の運転に伴って発生する排熱によって生成された第一温水を貯留する貯湯タンクと、
前記貯湯タンクから浴槽まで延びる給湯経路と、
前記貯湯タンクに貯留された前記第一温水の温度を検出する第一温度センサと、
前記浴槽の水位を検出する水位センサと、
前記浴槽の水温を検出する第二温度センサと、
前記貯湯タンクに貯留された前記第一温水の前記浴槽への供給を制御する制御装置と、を備え、
前記制御装置は、下記の（ｉ）、（ii）、（iii）、及び（iv）の条件が満たされているときに、前記貯湯タンクに貯留された前記第一温水を、前記給湯経路を通過させて前記浴槽に供給するとともに、前記給湯経路の出口における第二温水の温度を前記浴槽の湯張りにおける目標温度よりも高い給湯温度に調節する、
コージェネレーションシステムを提供する。
（ｉ）前記浴槽の湯張りを実行すべきである。
（ii）前記水位センサによって検出された前記水位が前記浴槽に残り湯があることを示し、かつ、前記水位が前記浴槽の前記湯張りにおける目標水位未満である。
（iii）前記第一温度センサによって検出された前記第一温水の温度が第一閾値以上である。
（iv）前記第二温度センサによって検出された前記浴槽の前記水温が前記目標温度未満である。
【発明の効果】
【０００７】
本開示の技術によれば、燃料電池の運転に伴って発生する排熱の利用を促進しつつユーザの利便性を高める観点から有利である。
【図面の簡単な説明】
【０００８】
【図１】図１は、本開示の一実施形態に係るコージェネレーションシステムの構成図である。
【図２Ａ】図２Ａは、浴槽の湯張りにおいて実行される処理の一例を示すフローチャートである。
【図２Ｂ】図２Ｂは、浴槽の湯張りにおいて実行される処理の一例を示すフローチャートである。
【図２Ｃ】図２Ｃは、浴槽の湯張りにおいて実行される処理の一例を示すフローチャートである。
【図３】図３は、浴槽の湯張りにおいて実行される処理の別の一例を示すフローチャートである。
【図４】図４は、浴槽の湯張りにおいて実行される処理のさらに別の一例を示すフローチャートである。
【発明を実施するための形態】
【０００９】
（本開示の基礎となった知見）
特許文献１に記載されているように、入浴等で温水が使用される場合に貯湯タンクに貯められた温水を浴槽に供給することにより、燃料電池の運転に伴って発生する排熱を入浴に利用できる。一方、浴槽の湯張りにおいて浴槽に残り湯があるケースが想定される。例えば、防災意識の高まりにより、浴槽に常に水又はお湯を貯めておくユーザも存在する。しかし、特許文献１では、浴槽に残り湯があるときに貯湯タンクに貯められた温水を供給する望ましい方法について何ら検討されていない。そこで、本発明者らは、浴槽の湯張りにおいて浴槽に残り湯があるケースにおいて貯湯タンクに貯められた温水を供給する方法について日夜検討を重ねた。その結果、本発明者らは、浴槽の残り湯の状態を考慮して、貯湯タンクに貯められた温水を用いて浴槽の湯張りの目標温度よりも高い温度で浴槽に給湯することにより、燃料電池の運転に伴って発生する排熱の利用を促進できることを新たに見出した。本発明者らは、この新たな知見に基づいて本開示のコージェネレーションシステムを案出した。
【００１０】
（本開示に係る一態様の概要）
本開示の第１態様に係るコージェネレーションシステムは、
燃料電池と、
前記燃料電池の運転に伴って発生する排熱によって生成された第一温水を貯留する貯湯タンクと、
前記貯湯タンクから浴槽まで延びる給湯経路と、
前記貯湯タンクに貯留された前記第一温水の温度を検出する第一温度センサと、
前記浴槽の水位を検出する水位センサと、
前記浴槽の水温を検出する第二温度センサと、
前記貯湯タンクに貯留された前記第一温水の前記浴槽への供給を制御する制御装置と、を備え、
前記制御装置は、下記の（ｉ）、（ii）、（iii）、及び（iv）の条件が満たされているときに、前記貯湯タンクに貯留された前記第一温水を、前記給湯経路を通過させて前記浴槽に供給するとともに、前記給湯経路の出口における第二温水の温度を前記浴槽の湯張りにおける目標温度よりも高い給湯温度に調節する。
（ｉ）前記浴槽の湯張りを実行すべきである。
（ii）前記水位センサによって検出された前記水位が前記浴槽に残り湯があることを示し、かつ、前記水位が前記浴槽の前記湯張りにおける目標水位未満である。
（iii）前記第一温度センサによって検出された前記第一温水の温度が第一閾値以上である。
（iv）前記第二温度センサによって検出された前記浴槽の前記水温が前記目標温度未満である。
【００１１】
第１態様によれば、湯張りの目標水位未満であり、かつ、湯張りの目標温度より低い温度の残り湯が浴槽にあるときに、貯湯タンクに貯留された温水を用いて、湯張りの目標温度よりも高い給湯温度で浴槽に温水が供給される。このように高い給湯温度での浴槽への温水の供給に貯湯タンクに貯留された温水を用いることができるので燃料電池の運転に伴って発生する排熱の利用を促進できる。しかも、浴槽の残り湯を有効に利用したいユーザの利便性を高めることができる。
【００１２】
本開示の第２態様において、例えば、第１態様に係るコージェネレーションシステムでは、前記制御装置は、前記（ｉ）、（ii）、（iii）、及び（iv）の条件が満たされ、かつ、前記第一温度センサによって検出された前記第一温水の温度が前記給湯温度よりも高いときに、前記給湯温度より低い温度を有する市水と前記第一温水とを混合して前記第二温水の温度を前記給湯温度に調節する。第２態様によれば、浴槽に給湯温度よりも高い温度の温水が供給されることが防止され、燃料電池の運転に伴って発生する排熱の利用を促進しつつ浴槽における安全性を高めることができる。
【００１３】
本開示の第３態様において、例えば、第１態様に係るコージェネレーションシステムでは、前記制御装置は、前記（ｉ）、（ii）、（iii）、及び（iv）の条件が満たされ、かつ、前記第一温度センサによって検出された前記第一温水の温度が前記給湯温度よりも低いときに、前記給湯温度より高い温度を有する市水と前記第一温水とを混合して前記第二温水の温度を前記給湯温度に調節する。第３態様によれば、貯湯タンクに貯留された温水の温度が給湯温度よりも低くても、貯湯タンクに貯留された温水を用いて、浴槽に供給される温水の温度を所望の温度に調節できる。
【００１４】
本開示の第４態様において、例えば、第１態様に係るコージェネレーションシステムは、前記浴槽に供給されるべき水を加熱するバックアップ熱源機をさらに備え、前記制御装置は、前記（ｉ）、（ii）、（iii）、及び（iv）の条件が満たされ、かつ、前記第一温度センサによって検出された前記第一温水の温度が前記給湯温度よりも低いときに、前記バックアップ熱源機によって前記第一温水を加熱して前記第二温水の温度を前記給湯温度に調節する。第４態様によれば、貯湯タンクに貯留された温水の温度が給湯温度よりも低くても、バックアップ熱源機によって貯湯タンクに貯留された温水を加熱して、浴槽に供給される温水の温度を所望の温度に調節できる。
【００１５】
本開示の第５態様において、例えば、第１〜第４態様のいずれか１つの態様に係るコージェネレーションシステムは、前記浴槽に供給されるべき水を加熱するバックアップ熱源機と、前記貯湯タンクに貯留された前記第一温水と暖房装置の熱媒体との間で熱交換を生じさせる熱交換器と、前記貯湯タンクと前記熱交換器とを接続している往路部分と前記熱交換器と前記貯湯タンクとを接続している復路部分とを有する循環経路と、をさらに備える。加えて、前記制御装置は、前記（ｉ）の条件並びに下記の（ｖ）、（vi）、及び（vii）の条件が満たされているときに、前記バックアップ熱源機を停止させた状態で、前記貯湯タンクに貯留された前記第一温水を、前記給湯経路を通過させて前記浴槽に供給する。
（ｖ）前記水位センサによって検出された前記水位が前記浴槽に残り湯がないことを示す。
（vi）前記第一温度センサによって検出された前記第一温水の温度が第二閾値以上である。
（vii）前記第一温度センサによって検出された前記第一温水の温度が前記目標温度に基づいて定められた第三閾値未満である。
【００１６】
第５態様によれば、貯湯タンクに貯留された温水の温度が第二閾値以上かつ第三閾値未満である場合にバックアップ熱源機を停止した状態で貯湯タンクに貯留された温水が浴槽に供給される。これにより、燃料電池の運転に伴って発生する排熱の利用を促進でき、かつ、浴槽の湯張りにおけるバックアップ熱源機で消費される燃料を低減しやすい。
【００１７】
本開示の第６態様において、例えば、第５態様に係るコージェネレーションシステムでは、前記制御装置は、前記（ｉ）、（ｖ）、（vi）、及び（vii）の条件が満たされた後、前記水位センサによって検出された前記水位が前記目標水位以上になったときに、前記浴槽への給湯を停止し、かつ、前記浴槽に貯められた第三温水を前記バックアップ熱源機によって加熱して前記目標温度に到達させる。第６態様によれば、浴槽に目標水位の温水が貯まった後に、その温水がバックアップ熱源機によって加熱される。その結果、バックアップ熱源機の熱効率が高い状態でバックアップ熱源機が使用され、浴槽の湯張りにおけるバックアップ熱源機で消費される燃料を低減しやすい。
【００１８】
本開示の第７態様において、例えば、第５態様又は第６態様のコージェネレーションシステムは、前記（ｉ）、（ｖ）、（vi）、及び（vii）の条件が満たされているときに、前記熱交換器への前記第一温水の供給を停止する。第７態様によれば、コージェネレーションシステムにおいて貯湯タンクに貯留された温水の供給を管理するための制御を簡素化できる。
【００１９】
本開示の第８態様に係るコージェネレーションシステムの運転方法は、
燃料電池の運転に伴って発生する排熱を用いて第一温水を生成することと、
前記第一温水を貯湯タンクに貯めることと、
前記貯湯タンクに貯留された前記第一温水の温度を検出することと、
前記浴槽の水位を検出することと、
前記浴槽の水温を検出することと、
下記の（ｉ）、（ii）、（iii）、及び（iv）の条件が満たされているときに、前記貯湯タンクに貯留された前記第一温水を前記浴槽に供給するとともに、前記貯湯タンクから前記浴槽まで延びる給湯経路の出口における第二温水の温度を前記浴槽の湯張りにおける目標温度よりも高い給湯温度に調節することと、を含む。
（ｉ）前記浴槽の湯張りを実行すべきである。
（ii）前記浴槽の前記水位が前記浴槽に残り湯があることを示し、かつ、前記水位が前記浴槽の前記湯張りにおける目標水位未満である。
（iii）前記貯湯タンクに貯留された前記第一温水の温度が第一閾値以上である。
（iv）前記浴槽の前記水温が前記浴槽の前記目標温度未満である。
【００２０】
第８態様によれば、第１態様と同じ効果が得られる。
【００２１】
以下、本開示の実施形態について、図面を参照しながら説明する。本開示は、以下の実施形態に限定されない。
【００２２】
（実施形態）
図１に示す通り、コージェネレーションシステム１は、燃料電池１１と、貯湯タンク２０と、給湯経路３５と、第一温度センサ２５ａと、水位センサ４２と、第二温度センサ４４と、制御装置７０とを備えている。貯湯タンク２０は、燃料電池１１の運転に伴って発生する排熱によって生成された第一温水を貯留する。給湯経路３５は、貯湯タンク２０から浴槽４０まで延びている。第一温度センサ２５ａは、貯湯タンク２０に貯留された第一温水の温度を検出する。水位センサ４２は、浴槽４０の水位を検出する。第二温度センサ４４は、浴槽４０の水温を検出する。制御装置７０は、貯湯タンク２０に貯留された第一温水の浴槽４０への供給を制御する。制御装置７０は、下記の（ｉ）、（ii）、（iii）、及び（iv）の条件が満たされているときに、貯湯タンク２０に貯留された第一温水を、給湯経路３５を通過させて浴槽４０に供給させる。加えて、制御装置７０は、給湯経路３５の出口における第二温水の温度を浴槽４０の湯張りにおける目標温度Ｔｇよりも高い給湯温度Ｔｓに調節する。第二温水は、貯湯タンク２０から給湯経路３５の出口に移動した第一温水のみを含んでいてもよいし、必要に応じて、第一温水と市水とが混合されて生成されてもよい。
（ｉ）浴槽４０の湯張りを実行すべきである。
（ii）水位センサ４２によって検出された水位が浴槽４０に残り湯があることを示し、かつ、水位が浴槽４０の湯張りにおける目標水位Ｌｇ未満である。
（iii）第一温度センサ２５ａによって検出された第一温水の温度が第一閾値Ｔｈ１以上である。
（iv）第二温度センサによって検出された浴槽の水温が目標温度Ｔｇ未満である。
【００２３】
燃料電池１１で発生した熱の利用を促進するためには、貯湯タンク２０に貯留された第一温水が高い温度で貯湯タンク２０の外部に供給されることが望ましい。上記の（ｉ）〜（iv）の条件が満たされていれば、貯湯タンク２０に貯留された第一温水を用いて、湯張りにおける目標温度Ｔｇよりも高い給湯温度Ｔｓで浴槽４０に温水を供給できる。このため、貯湯タンク２０に貯留された第一温水が有する熱、すなわち、燃料電池１１で発生した熱の利用を促進できる。なお、給湯温度Ｔｓは、例えば、４５〜４８℃である。上記の（iii）の条件の第一閾値Ｔｈ１は、浴槽４０の湯張りの実行において、貯湯タンク２０に貯留された第一温水を浴槽４０に向かって供給することを許容する観点から定められている。第一閾値Ｔｈ１は、例えば、目標温度Ｔｇより高い温度から燃料電池１１の運転に伴い発生した排熱によって加熱されて貯湯タンク２０に供給される温水の温度の最高値の間の温度でありうる。第一閾値Ｔｈ１は、例えば４０〜８０℃でありうる。
【００２４】
制御装置７０は、上記の（ｉ）〜（iv）の条件が満たされているときに、第一温度センサ２５ａによって検出された第一温水の温度に応じて、第二温水の温度を給湯温度Ｔｓに調節する。例えば、制御装置７０は、第一温度センサ２５ａによって検出された第一温水の温度が給湯温度Ｔｓよりも高いときに、給湯温度Ｔｓより低い温度を有する市水と第一温水とを混合して第二温水の温度を給湯温度Ｔｓに調節する。
【００２５】
一方、制御装置７０は、第一温度センサ２５ａによって検出された第一温水の温度が給湯温度Ｔｓよりも低いときに、給湯温度Ｔｓより高い温度を有する市水と第一温水とを混合して第二温水の温度を給湯温度Ｔｓに調節する。給湯温度Ｔｓより高い温度を有する市水は、例えば市水を所定の熱源機によって加熱することによって生成される。
【００２６】
図１に示す通り、コージェネレーションシステム１は、例えばバックアップ熱源機３８をさらに備えている。バックアップ熱源機３８は、浴槽４０に供給されるべき水を加熱する。バックアップ熱源機３８は、例えば、給湯経路３５に配置されている。バックアップ熱源機３８は、例えば、燃料の燃焼により水を加熱するガス給湯機等のボイラである。給湯温度Ｔｓより高い温度を有する市水は、例えば、バックアップ熱源機３８によって市水を加熱することによって生成されうる。また、制御装置７０は、第一温度センサ２５ａによって検出された第一温水の温度が給湯温度Ｔｓよりも低いときに、バックアップ熱源機３８によって第一温水を加熱して第二温水の温度を給湯温度Ｔｓに調節してもよい。この場合、例えば、バックアップ熱源機３８によって第一温水を給湯温度Ｔｓより高い温度に加熱したうえで、給湯温度Ｔｓより低い温度を有する市水と第一温水とを混合して第二温水の温度を給湯温度Ｔｓに調節してもよい。
【００２７】
燃料電池１１は、例えば、燃料電池ユニット１０の内部に配置されている。燃料電池ユニット１０は、例えば、改質器１２、熱交換器１３、及びポンプ１４を有する。例えば、燃料電池ユニット１０は、熱回収経路２１によって貯湯タンク２０と接続されている。
【００２８】
燃料電池１１は、燃料ガスと酸化剤ガスとを用いて電力を生成する。改質器１２は、都市ガスなどの原料ガスを改質することによって燃料ガスを生成する。燃料ガスは、水素ガスを含む。酸化剤ガスは、典型的には、空気である。燃料電池１１の型式は特に限定されない。燃料電池１１は、固体高分子型燃料電池、固体酸化物型燃料電池、リン酸型燃料電池又は溶融炭酸塩型燃料電池である。純水素ガスが燃料電池１１に供給される場合、改質器１２は省略されうる。
【００２９】
熱交換器１３は、燃料電池１１のアノードオフガス、燃料電池１１のカソードオフガス、及び、燃焼排ガスから選ばれる少なくとも１つのガスを冷却して凝縮水を生じさせる冷却器でありうる。複数のガスを個別に冷却できるように、熱交換器１３は、複数の部分に分かれていてもよい。貯湯タンク２０の下部に貯められた水を冷却媒体として熱交換器１３に流すことができるように、熱交換器１３が熱回収経路２１によって貯湯タンク２０に接続されている。凝縮水は、凝縮水タンク（図示せず）に貯められる。凝縮水タンクに貯められた水は、改質器１２に供給され、燃料ガスの生成に使用される。燃焼排ガスは、改質器１２を昇温するためのバーナの燃焼排ガスである。バーナの燃料には、燃料電池１１のアノードオフガスが使用されうる。熱交換器１３は、フィンチューブ式熱交換器、プレート式熱交換器などの気−液熱交換器である。
【００３０】
熱回収経路２１は、第１部分２１ａ及び第２部分２１ｂを含む。第１部分２１ａは、貯湯タンク２０の下部と熱交換器１３の入口とを接続している。第２部分２１ｂは、熱交換器１３の出口と貯湯タンク２０の上部とを接続している。第１部分２１ａは、熱回収経路２１の上流部分を構成している。第２部分２１ｂは、熱回収経路２１の下流部分を構成している。第１部分２１ａは、熱交換器１３において加熱されるべき水を熱交換器１３に導くための流路である。第２部分２１ｂは、熱交換器１３において加熱された水（温水）を貯湯タンク２０に導くための流路である。
【００３１】
ポンプ１４は、熱回収経路２１に配置されている。ポンプ１４の働きによって、貯湯タンク２０から熱交換器１３に水が供給され、生成された温水が熱交換器１３から貯湯タンク２０に戻される。本実施形態では、ポンプ１４は、熱回収経路２１の第１部分２１ａに配置されている。ポンプ１４は、第２部分２１ｂに配置されていてもよい。
【００３２】
コージェネレーションシステム１に使用されるポンプのそれぞれは、例えば、ピストンポンプ、プランジャポンプ、ギヤポンプ、ベーンポンプなどの容積式ポンプである。
【００３３】
熱回収経路２１には、温度センサ２２が設けられている。温度センサ２２は、熱回収経路２１を流れる水の温度を検出する。温度センサ２２は、例えば、熱回収経路２１の第１部分２１ａに配置されている。第１部分２１ａに温度センサ２２が配置されていると、貯湯タンク２０から熱交換器１３に供給されるべき水の温度を正確に検出できる。ただし、温度センサ２２は、第２部分２１ｂに配置されていてもよい。
【００３４】
温度センサ２２によって検出された水の温度が閾値温度以下（例えば、４５℃以下）であるとき、燃料電池ユニット１０が水不足に陥るおそれが無く、燃料電池１１の運転を継続可能である。温度センサ２２によって検出された水の温度が閾値温度よりも高いとき、燃料電池ユニット１０が水不足に陥る可能性が浮上する。燃料電池ユニット１０が水不足に陥るおそれがあるとき、発電を停止させてもよい。
【００３５】
コージェネレーションシステム１に使用される温度センサのそれぞれは、例えば、サーミスタを用いた温度センサ又は熱電対を用いた温度センサである。
【００３６】
貯湯タンク２０は、例えば、断熱性及び耐圧性を有する容器によって構成されている。貯湯タンク２０には、複数の温度センサ２５ａ〜２５ｅが設けられている。温度センサ２５ａ〜２５ｅは、鉛直方向に沿って概ね等間隔で配置されている。温度センサ２５ａ〜２５ｅは、貯湯タンク２０の内部に配置されていてもよく、貯湯タンク２０の表面上に配置されていてもよい。例えば、複数の温度センサ２５ａ〜２５ｅのうち最も上に位置している温度センサ２５ａが第一温度センサとして機能する。
【００３７】
温度センサ２５ａ〜２５ｅは、貯湯タンク２０に貯められた温水の温度を検出する。高温の温水が貯湯タンク２０の上部に貯められる。温水が使用されると市水が貯湯タンク２０の下部に補給される。そのため、貯湯タンク２０の内部には温水の温度成層が形成される。温度センサ２５ａ〜２５ｅの検出値によって、貯湯タンク２０の蓄熱状態を把握できる。
【００３８】
例えば、貯湯タンク２０の下部には、市水の第一給水経路２７ａが接続されている。貯湯タンク２０の温水が消費されると、第一給水経路２７ａを通じて市水が貯湯タンク２０に補給される。したがって、貯湯タンク２０には市水の給水圧力が加わっている。
【００３９】
給湯経路３５には、例えば、ポンプ３４、開閉弁４６、及び温度センサ４８が配置されている。開閉弁４６は、例えば電磁弁である。第一温水が給湯経路３５を通過して浴槽４０に供給されるとき、開閉弁４６が開いてポンプ３４が作動する。温度センサ４８は、給湯経路３５の出口における第二温水の温度を検出するための温度センサである。なお、給湯経路３５は、例えば、バックアップ熱源機３８をバイパスする流路を含んでいてもよい。これにより、必要に応じて、バックアップ熱源機３８をバイパスさせて第一温水を浴槽４０に供給できる。
【００４０】
給湯経路３５には、例えば、第二給水経路２７ｂが接続されている。第二給水経路２７ｂを流れる市水は、必要に応じてバックアップ熱源機３８によって加熱される。第二給水経路２７ｂは、バックアップ熱源機３８をバイパスする流路を含んでいてもよい。第二給水経路２７ｂには、例えば、開閉弁２８が配置されている。開閉弁２８は、例えば電磁弁である。例えば、第二温水を所望の温度に調節するときに、必要に応じて開閉弁２８が開かれ、給湯経路３５に市水が供給される。給湯経路３５と第二給水経路２７ｂとの接続位置には、例えば混合弁（図示省略）が配置されている。
【００４１】
水位センサ４２の水位の検出方式は、特定の方式に制限されない。水位センサ４２は、例えば、差圧式の水位センサ、静電容量式の水位センサ、又は超音波式の水位センサである。
【００４２】
制御装置７０は、典型的には、コージェネレーションシステム１を運転するためのプログラムが実行可能に格納されたデジタルコンピュータである。制御装置７０は、単一のデジタルコンピュータによって構成されていてもよいし、互いに通信可能な複数のデジタルコンピュータによって構成されていてもよい。第一温度センサ２５ａ、水位センサ４２、及び第二温度センサ４４の検出結果を示す情報及びコントロールパネル（図示省略）に入力された情報が制御装置７０に入力される。制御装置７０は、入力されたこれらの情報に基づいて、ポンプ３４、開閉弁２８、及び開閉弁４６等の浴槽４０の湯張りに必要な制御対象を制御する。なお、制御装置７０には、別の温度センサ、流量計、及びガスセンサなどの他の計測機器（図示省略）からも検出結果を示す情報が入力される。制御装置７０は、コントロールパネル（図示省略）に入力された情報及び各種計測機器の計測結果を示す情報に基づき、各制御対象を制御する。
【００４３】
図１に示す通り、コージェネレーションシステム１は、例えば、熱交換器５２と、循環経路３０とをさらに備えている。熱交換器５２は、例えば、貯湯タンク２０に貯留された第一温水と暖房装置５３の熱媒体との間で熱交換を生じさせる。熱交換器５２は、例えば、二重管式熱交換器、プレート式熱交換器などの液−液熱交換器である。循環経路３０は、往路部分３０ａ及び復路部分３０ｂを有する。往路部分３０ａは、貯湯タンク２０と熱交換器５２とを接続している。復路部分３０ｂは、熱交換器５２と貯湯タンク２０とを接続している。制御装置７０は、例えば、上記の（ｉ）の条件並びに下記の（ｖ）、（vi）、及び（vii）の条件が満たされているときに、バックアップ熱源機３８を停止させた状態で、貯湯タンク２０に貯留された第一温水を、給湯経路３５を通過させて浴槽４０に供給する。
（ｖ）水位センサ４２によって検出された水位が浴槽４０に残り湯がないことを示す。
（vi）第一温度センサ２５ａによって検出された第一温水の温度が第二閾値Ｔｈ２以上である。
（vii）第一温度センサ２５ａによって検出された第一温水の温度が目標温度Ｔｇに基づいて定められた第三閾値Ｔｈ３未満である。
【００４４】
この場合、貯湯タンク２０に貯留された温水の温度が第二閾値Ｔｈ２以上かつ第三閾値Ｔｈ３未満である場合にバックアップ熱源機３８を停止した状態で貯湯タンク２０に貯留された温水が浴槽４０に供給される。これにより、燃料電池１１で発生した熱の利用を促進でき、かつ、浴槽４０の湯張りにおけるバックアップ熱源機３８で消費される燃料を低減しやすい。
【００４５】
上記の（vi）の条件の第二閾値Ｔｈ２は、浴槽４０の湯張りの実行において、貯湯タンク２０に貯留された第一温水を浴槽に供給する場合に、バックアップ熱源機３８を運転すべきか否かの観点から定められている。第一温度センサ２５ａによって検出された第一温水の温度が第二閾値Ｔｈ２より低い場合、バックアップ熱源機３８によって加熱された市水と第一温水とを混合して浴槽４０に温水が供給される。第二閾値Ｔｈ２は、例えば、目標温度Ｔｇに基づいて定められている。例えば、第二閾値Ｔｈ２は、Ｔｈ２＝Ｔｇ−ΔＴ１（℃）と定義される。ΔＴ１は約５℃である。
【００４６】
上記の（vii）の条件の第三閾値Ｔｈ３は、目標温度Ｔｇを用いて、例えばＴｈ２＝Ｔｇ＋ΔＴ２（℃）と定義される。ΔＴは、例えば給湯経路３５における熱損失を考慮して定められている。ΔＴ２は、例えば３℃である。
【００４７】
制御装置７０は、上記の（ｉ）、（ｖ）、（vi）、及び（vii）の条件が満たされた後、水位センサ４２によって検出された水位が目標水位Ｌｇ以上になったときに、浴槽４０への給湯を停止する。例えば、制御装置７０は、ポンプ３４を停止させる。加えて、制御装置７０は、浴槽４０に貯められた第三温水をバックアップ熱源機３８によって加熱して目標温度Ｔｇに到達させる。
【００４８】
図１に示す通り、コージェネレーションシステム１は、例えば、戻し経路３６をさらに備えている。戻し経路３６は、バックアップ熱源機３８を通過させて浴槽４０に貯められた第三温水を給湯経路３５に導くための流路である。戻し経路３６及び給湯経路３５の下流部分によって、浴槽４０とバックアップ熱源機３８との間で第三温水を循環させる循環路が構成されている。戻し経路３６を通ってバックアップ熱源機３８によって加熱された第三温水は、給湯経路３５の下流部分を通って浴槽４０に戻される。戻し経路３６には、ポンプ３７が配置されており、制御装置７０はポンプ３７を作動させる。
【００４９】
循環経路３０は、貯湯タンク２０と熱交換器５２との間で温水を循環させることによって、貯湯タンク２０の温水を暖房に使用するための経路である。往路部分３０ａは、典型的には、貯湯タンク２０の上部と熱交換器５２の入口とを接続している。往路部分３０ａを通じて、貯湯タンク２０の上部に貯められた高温の温水が貯湯タンク２０から熱交換器５２に供給されうる。このような構成によれば、外部の熱源の使用頻度を下げることができる。往路部分３０ａの上流部分３０ａｕは、例えば、給湯経路３５の一部を兼ねている。加えて、往路部分３０ａの下流部分３０ａｄは、位置Ｂにおいて給湯経路３５から分かれて熱交換器５２の入口に接続されている。位置Ｂは、給湯経路３５においてバックアップ熱源機３８より下流に位置している。往路部分３０ａの下流部分３０ａｄには、開閉弁５６が配置されている。開閉弁５６は、例えば電磁弁である。なお、往路部分３０ａは、給湯経路３５とは別の経路として定められていてもよい。復路部分３０ｂは、典型的には、熱交換器５２の出口と貯湯タンク２０の下部とを接続している。復路部分３０ｂを通じて、熱交換器５２から貯湯タンク２０の下部に温水が戻される。このような構成によれば、貯湯タンク２０の内部の温度成層が乱れにくい。貯湯タンク２０の下部に予め存在する温水（又は冷水）と貯湯タンク２０に戻された温水とが貯湯タンク２０の下部において混ざりあう。
【００５０】
制御装置７０は、例えば、上記の（ｉ）、（ｖ）、（vi）、及び（vii）の条件が満たされているときに、熱交換器５２への第一温水の供給を停止する。制御装置７０は、例えば、開閉弁５６を閉じて、熱交換器５２への第一温水の供給を停止する。これにより、コージェネレーションシステム１において貯湯タンク２０に貯留された温水の供給を管理するための制御を簡素化できる。なお、貯湯タンク２０に貯留された温水の供給を管理するための制御が複雑にはなるが、上記の（ｉ）、（ｖ）、（vi）、及び（vii）の条件が満たされている場合に、制御装置７０は、熱交換器５２への第一温水の供給を継続してもよい。
【００５１】
制御装置７０は、上記の条件（ii）及び条件（ｖ）の成否を判断することなく、バックアップ熱源機３８を停止させた状態で、貯湯タンク２０に貯留された第一温水を、給湯経路３５を通過させて浴槽４０に供給してもよい。換言すると、制御装置７０は、上記の（ｉ）、（vi）、及び（vii）の条件が満たされているときに、バックアップ熱源機３８を停止させた状態で、貯湯タンク２０に貯留された第一温水を、給湯経路３５を通過させて浴槽４０に供給してもよい。この場合でも、燃料電池１１で発生した熱の利用を促進でき、かつ、浴槽４０の湯張りにおけるバックアップ熱源機３８で消費される燃料を低減しやすい。
【００５２】
熱交換器５２は、貯湯タンク２０に貯められた温水と暖房装置５３の熱媒体との間で熱交換を生じさせる。貯湯タンク２０の温水によって、暖房装置５３の熱媒体が所望の温度まで加熱される。熱交換器５２は、例えば、二重管式熱交換器、プレート式熱交換器などの液−液熱交換器である。
【００５３】
暖房装置５３としては、床暖房装置などの輻射暖房装置が挙げられる。暖房装置５３の熱媒体は、水、ブライン、オイルなどの液体である。暖房装置５３は、熱媒体回路５０によって熱交換器５２に接続されている。熱媒体回路５０にはポンプ５１が配置されている。ポンプ５１を作動させることによって、熱交換器５２と暖房装置５３との間で熱媒体を循環させることができる。
【００５４】
図１に示す通り、コージェネレーションシステム１は、例えばバイパス経路３１をさらに備えている。バイパス経路３１は、貯湯タンク２０の外部において、循環経路３０の往路部分３０ａと循環経路３０の復路部分３０ｂとを接続している。バイパス経路３１によれば、熱交換器５２から排出された温水の一部又は全部を貯湯タンク２０に戻すことなく、循環経路３０に循環させることができる。
【００５５】
循環経路３０には、例えば、混合弁３２が配置されている。混合弁３２は、バイパス経路３１に導かれる温水の流量と貯湯タンク２０に戻される温水の流量との比率を調節する調節弁の代表例である。
【００５６】
混合弁３２は、バイパス経路３１と循環経路３０の往路部分３０ａとの接続位置に配置されている。混合弁３２の入り口にバイパス経路３１が接続されている。混合弁３２を制御することによって、貯湯タンク２０から新たに供給されるべき温水とバイパス経路３１を流れる温水との混合比を調節することができる。これにより、最適な温度の温水を熱交換器に供給できる。バックアップボイラ３６などの外部の熱源の使用頻度を下げることもできる。
【００５７】
循環経路３０には、温度センサ３９が設けられている。温度センサ３９は、例えば、循環経路３０の復路部分３０ｂに配置されている。より詳細には、温度センサ３９は、熱交換器５２と位置Ｐとの間の位置において、復路部分３０ｂに配置されている。位置Ｐは、バイパス経路３１と循環経路３０の復路部分３０ｂとの接続位置である。このような構成によれば、熱交換器５２から貯湯タンク２０に戻されるべき温水の温度を正確に検出できる。
【００５８】
次に、コージェネレーションシステム１における浴槽４０の湯張りにおいて実行される処理の一例を説明する。
【００５９】
上記（ｉ）の条件が満たされると、コージェネレーションシステム１において、例えば、図２Ａ、図２Ｂ、及び図２Ｃに示す処理が実行される。上記（ｉ）の条件の成否は、例えば、所定時刻が到来したか否か又はコントロールパネル（図示省略）において浴槽４０の湯張りの実行の指示を受けたか否かに基づいて判断される。所定時刻は、例えば、浴槽４０の湯張りの予約時刻から所定期間（例えば、３０分間）遡った時刻である。
【００６０】
図２Ａに示す通り、まずステップＳ１において、制御装置７０は、浴槽４０の湯張りにおける目標温度Ｔｇ及び目標水位Ｌｇを取得する。目標温度Ｔｇ及び目標水位Ｌｇは、例えば、制御装置７０に予め記憶されていてもよい。次に、ステップＳ２に進み、制御装置７０は、水位センサ４２による検出水位Ｌｂを取得し、かつ、温度センサ４４による検出温度Ｔｂを取得する。次に、ステップＳ３に進み、制御装置７０は、Ｌｂが所定値以上であるか否かを判断する。所定値は、例えば、浴槽４０に残り湯があることを示す値である。浴槽４０には、例えば、循環アダプター（図示省略）が取り付けられている。循環アダプターは、浴槽４０とバックアップ熱源機３８との間で温水を循環させるための流路を有する。所定値は、例えば、循環アダプターよりも上方に水位があることを示す値である。循環アダプターは、例えば、給湯経路３５及び戻し路３６の浴槽４０に隣接した部分を含んでいる。
【００６１】
ステップＳ３における判断結果が肯定的である場合、ステップＳ４に進み、制御装置７０は、水位センサ４２による検出水位Ｌｂが目標水位Ｌｇ未満であるか否か判断する。ステップＳ４における判断結果が肯定的である場合、ステップＳ５に進み、制御装置７０は、温度センサ４４による検出温度Ｔｂが目標温度Ｔｇ未満であるか否か判断する。ステップＳ５における判断結果が肯定的である場合、ステップＳ６に進み、制御装置７０は、温度センサ２５ａによる検出温度Ｔｕを取得する。次に、ステップＳ７に進み、検出温度Ｔｕが第一閾値Ｔｈ１以上であるか否か判断する。ステップＳ７における判断結果が肯定的である場合、ステップＳ８に進み、貯湯タンク２０に貯留された第一温水を用いて給湯温度Ｔｓで浴槽４０に温水が供給される。制御装置７０は、例えば、開閉弁４６を開いてポンプ３４を作動させる。第一温水は、必要に応じて、給湯温度Ｔｓより高い温度を有する市水又は給湯温度Ｔｓより低い温度を有する市水と混合される。この場合、制御装置７０は、開閉弁２８を開き、必要に応じてバックアップ熱源機３８を運転させる。第一温水は、必要に応じて、バックアップ熱源機３８によって加熱される。なお、ステップＳ８の処理は、特に説明する場合を除き継続される。
【００６２】
ステップＳ７における判断結果が否定的である場合、ステップＳ９に進み、給湯温度Ｔｓで浴槽４０に温水が供給される。ステップＳ９における処理において、貯湯タンク２０に貯留された第一温水を使用することは必須ではない。貯湯タンク２０に貯留された第一温水が使用されてもよいし、第二給水経路２７ｂを通過した市水が使用されて、浴槽４０に温水が供給される。なお、ステップＳ９の処理も、特に説明する場合を除き継続される。
【００６３】
次に、ステップＳ８及びステップＳ９の処理がなされている期間に、ステップＳ１０において、所定時間が経過すると、制御装置７０は、水位センサ４２による検出水位Ｌｂを取得し、かつ、温度センサ４４による検出温度Ｔｂを取得し、ステップＳ４に戻る。
【００６４】
図２Ａ及び図２Ｂに示す通り、ステップＳ３における判断結果又はステップＳ５における判断結果が否定的である場合、ステップＳ２０に進み、制御装置７０は、温度センサ２５ａによる検出温度Ｔｕを取得する。次に、ステップＳ２１に進み、制御装置７０は、検出温度Ｔｕが第二閾値Ｔｈ２以上であるか否か判断する。ステップＳ２１における判断結果が肯定的である場合、ステップＳ２２に進み、制御装置７０は、検出温度Ｔｕが第三閾値Ｔｈ３未満であるか否か判断する。ステップＳ２２における判断結果が肯定的である場合、ステップＳ２４に進み、貯湯タンク２０に貯留された第一温水を市水と混ぜずに浴槽４０に供給する。制御装置７０は、例えば、開閉弁２８を閉じるとともに開閉弁４６を開いて、ポンプ３４を作動させる。ステップＳ２２における判断結果が否定的である場合、ステップＳ２３に進み、制御装置７０は検出温度Ｔｕが第三閾値Ｔｈ３と等しいか否か判断する。ステップＳ２３における判断結果が肯定的である場合、ステップＳ２４に進む。一方、ステップＳ２３における判断結果が否定的である場合、ステップＳ２５に進み、貯湯タンク２０に貯留された第一温水を市水と混ぜながら浴槽４０に供給する。この場合、制御装置７０は、開閉弁２８を開くとともに開閉弁４６を開いて、ポンプ３４を作動させる。第二温水の温度が所望の温度になるように第一温水と市水とが混合される。
【００６５】
ステップＳ２１における判断結果が否定的である場合、ステップＳ２６に進み、貯湯タンク２０に貯留された第一温水をバックアップ熱源機３８で加熱した市水と混ぜながら浴槽４０に供給する。この場合、例えば、制御装置７０は、開閉弁２８を開くとともに開閉弁４６を開いて、ポンプ３４を作動させる。加えて、第二給水経路２７ｂにおける市水をバックアップ熱源機３８によって加熱する。第二温水の温度が所望の温度になるように第一温水と加熱した市水とが混合される。
【００６６】
ステップＳ２４、ステップＳ２５、及びステップＳ２６における処理のそれぞれは、特に説明する場合を除き継続される。
【００６７】
ステップＳ２４、ステップＳ２５、又はステップＳ２６における処理がなされている期間に、ステップＳ２７に示す通り所定時間が経過すると、ステップＳ２８に進み、制御装置７０は、水位センサ４２による検出水位Ｌｂを取得する。次に、ステップＳ２９に進み、制御装置７０は、検出水位Ｌｂが目標水位Ｌｇ以上であるか否か判断する。ステップＳ２９における判断結果が肯定的である場合、ステップＳ３０に進み、浴槽４０への温水の供給を停止する。このとき、制御装置７０は、例えば、ポンプ３４を停止させる。ステップＳ２９における判断結果が否定的である場合、ステップＳ２７に戻る。
【００６８】
ステップＳ３０の処理が完了すると、次にステップＳ３１に進み、制御装置７０は、温度センサ４４による検出温度Ｔｂを取得する。図２Ｂ及び図２Ｃに示す通り、次に、ステップＳ３２に進み、制御装置７０は、検出温度Ｔｂが目標温度Ｔｇ未満であるか否か判断する。ステップＳ３２における判断結果が肯定的である場合、ステップＳ３３に進み、浴槽４０に貯められた温水を浴槽４０とバックアップ熱源機３８との間で循環させながらバックアップ熱源機３８によって加熱する。このとき、制御装置７０は、例えば、開閉弁４６を開くとともにポンプ３７を作動させる。ステップＳ３３の処理は特に説明する場合を除き継続される。ステップＳ３３の処理がなされている期間に、ステップＳ３４に示す通り所定時間が経過すると、ステップＳ３５に進み、制御装置７０は、温度センサ４４による検出温度Ｔｂを取得し、その後ステップＳ３２に戻る。ステップＳ３２における判断結果が否定的である場合、ポンプ３７が作動中である場合にはポンプ３７を停止させ、バックアップ熱源機３８が運転中である場合にはバックアップ熱源機３８を停止させて一連の処理を終了する。
【００６９】
コージェネレーションシステム１において浴槽４０の湯張りが実行される場合に、ステップＳ２０〜Ｓ３１の処理に代えて、図３に示す処理が実行されてもよい。この場合、図２Ａ及び図３に示す通り、ステップＳ３における判断結果又はステップＳ５における判断結果が否定的である場合、ステップＳ１２０に進む。ステップＳ１２０において、制御装置７０は、温度センサ２５ａによる検出温度Ｔｕを取得する。次に、ステップＳ１２１に進み、制御装置７０は、検出温度Ｔｕが第三閾値Ｔｈ３未満であるか否か判断する。ステップＳ１２１における判断結果が肯定的である場合、貯湯タンク２０に貯留された第一温水をバックアップ熱源機３８で加熱した市水と混ぜながら浴槽４０に供給する。この場合、例えば、制御装置７０は、開閉弁２８を開くとともに開閉弁４６を開いて、ポンプ３４を作動させる。加えて、第二給水経路２７ｂにおける市水をバックアップ熱源機３８によって加熱する。第二温水の温度が所望の温度になるように第一温水と加熱した市水とが混合される。ステップＳ１２１における判断結果が否定的である場合、ステップＳ１２３に進み、制御装置７０は検出温度Ｔｕが第三閾値Ｔｈ３と等しいか否か判断する。ステップＳ１２３における判断結果が肯定的である場合、ステップＳ１２４に進み、貯湯タンク２０に貯留された第一温水を市水と混ぜずに浴槽４０に供給する。一方、ステップＳ１２３における判断結果が否定的である場合、ステップＳ１２５に進み、貯湯タンク２０に貯留された第一温水を市水と混ぜながら浴槽４０に供給する。この場合、制御装置７０は、開閉弁２８を開くとともに開閉弁４６を開いて、ポンプ３４を作動させる。第二温水の温度が所望の温度になるように第一温水と市水とが混合される
【００７０】
ステップＳ１２２、ステップＳ１２４、及びステップＳ１２５における処理のそれぞれは、特に説明する場合を除き継続される。
【００７１】
ステップＳ１２２、ステップＳ１２４、又はステップＳ１２５における処理がなされている期間に、ステップＳ１２６に示す通り所定時間が経過すると、ステップＳ１２７に進み、制御装置７０は、水位センサ４２による検出水位Ｌｂを取得する。次に、ステップＳ１２７に進み、制御装置７０は、検出水位Ｌｂが目標水位Ｌｇ以上であるか否か判断する。ステップＳ１２８における判断結果が肯定的である場合、ステップＳ１２９に進み、浴槽４０への温水の供給を停止する。このとき、制御装置７０は、例えば、ポンプ３４を停止させる。ステップＳ１２８における判断結果が否定的である場合、ステップＳ１２６に戻る。ステップＳ１２９の処理が完了すると、次にステップＳ１３０に進み、制御装置７０は、温度センサ４４による検出温度Ｔｂを取得する。次に、図２Ｃ及び図３に示す通り、ステップＳ３２に進む。
【００７２】
コージェネレーションシステム１において浴槽４０の湯張りが実行される場合に、ステップＳ１〜Ｓ１１の処理に代えて、図４に示すステップＳ３０１の処理がなされてもよい。ステップＳ３０１において、上記（ｉ）の条件が満たされると、ステップＳ３０１において、ステップＳ１と同様にして、制御装置７０は、浴槽４０の湯張りにおける目標温度Ｔｇ及び目標水位Ｌｇを取得する。図２Ｂ及び図４に示す通り、次に、ステップＳ２０に進み、制御装置７０は、温度センサ２５ａによる検出温度Ｔｕを取得する。
【産業上の利用可能性】
【００７３】
本開示の技術は、コージェネレーションシステムの温水を使用した浴槽の湯張りに有用である。
【符号の説明】
【００７４】
１              コージェネレーションシステム
１１            燃料電池
２０            貯湯タンク
３０            循環経路
３５            給湯経路
３８            バックアップ熱源機
２５ａ          第一温度センサ
４０            浴槽
４２            水位センサ
４４            第二温度センサ
５２            熱交換器
７０            制御装置
【図１】
2019143863.tif 000003
【図２Ａ】
2019143863.tif 000004
【図２Ｂ】
2019143863.tif 000005
【図２Ｃ】
2019143863.tif 000006
【図３】
2019143863.tif 000007
【図４】
2019143863.tif 000008